(57)【要約】【課題】パルスダイヤル時のノイズによる呼出信号誤検出を防ぐことができ、ファクシミリの自動送受信の信頼性を高めることができる画像通信装置およびその制御方法を提供することを目的とするものである。【解決手段】電話回線を介して入力された呼出信号を検出する呼出信号検出手段と、回線を捕捉し、所望の番号にダイヤル送出するダイヤル送出手段とを具備する画像通信装置において、上記ダイヤル送出手段がダイヤル信号を送出しているときには、上記呼出信号検出手段が上記呼出信号を検出する動作を中断し、上記ダイヤル送出手段がダイヤル信号を送出する動作が正常に終了した後に、上記呼出信号の検出結果を無効とし、初期化し、これによって、ダイヤル発呼時の誤動作を防ぐ。【選択図】  図５
2004235938.tif 000002
【特許請求の範囲】
【請求項１】
電話回線を介して入力された呼出信号を検出する呼出信号検出手段と、回線を捕捉し、所望の番号にダイヤル送出するダイヤル送出手段とを具備する画像通信装置において、
上記ダイヤル送出手段がダイヤル信号を送出しているときには、上記呼出信号検出手段が上記呼出信号を検出する動作を中断し、上記ダイヤル送出手段がダイヤル信号を送出する動作が正常に終了した後に、上記呼出信号の検出結果を無効とし、初期化する制御手段を有することを特徴とする画像通信装置。
【請求項２】
請求項１において、
上記制御手段は、上記ダイヤル信号がパルスダイヤルであるときにだけ、上記呼出信号の検出結果を無効にする手段であることを特徴とする画像通信装置。
【請求項３】
電話回線を介して入力された呼出信号を検出する呼出信号検出手段と、回線を捕捉し、所望の番号にダイヤル送出するダイヤル送出手段とを具備する画像通信装置の制御方法において、
上記ダイヤル送出手段がダイヤル信号を送出しているときには、上記呼出信号検出手段が上記呼出信号を検出する動作を中断し、上記ダイヤル送出手段がダイヤル信号を送出する動作が正常に終了した後に、上記呼出信号の検出結果を無効とし、初期化する制御段階を有することを特徴とする画像通信装置の制御方法。
【請求項４】
請求項３において、
上記制御段階は、上記ダイヤル信号がパルスダイヤルであるときにだけ、上記呼出信号の検出結果を無効にする段階であることを特徴とする画像通信装置の制御方法。
【発明の詳細な説明】
【０００１】
【発明の属する技術分野】
本発明は、電話回線を通して通話、通信を行うファクシミリ装置等の画像通信装置およびその制御方法に関する。
【０００２】
【従来の技術】
従来のファクシミリ装置では、ダイヤル発呼の際に回線からのＣＩ（呼出信号）が着信中であれば、着信を優先し、ＣＩが着信し終わってから、一定時間経過するまで、ダイヤルを発呼しない等の処理によって、発呼と着呼との衝突を防止している。
【０００３】
【発明が解決しようとする課題】
上記従来例において、ダイヤル発呼の最中は、本体が初めに回線を捕捉し、交換機がこれを検出し、上記回線への着呼を防止するので、基本的にはダイヤル中にＣＩ着信することはない。
【０００４】
一方、パルスダイヤルによって発呼する場合、パルスのオンオフを回線に乗せるので、接続された各信号にノイズが乗りやすい。したがって、ＣＩ信号のラインにもノイズが乗り、ダイヤル後にＣＩ着信したかのように、本体が誤動作する場合があるという問題がある。
【０００５】
上記問題は、ファクシミリ装置以外の画像通信装置においても生じる問題である。
【０００６】
本発明は、パルスダイヤル時のノイズによる呼出信号誤検出を防ぐことができ、ファクシミリの自動送受信の信頼性を高めることができる画像通信装置およびその制御方法を提供することを目的とするものである。
【０００７】
【課題を解決するための手段】
本発明は、電話回線を介して入力された呼出信号を検出する呼出信号検出手段と、回線を捕捉し、所望の番号にダイヤル送出するダイヤル送出手段とを具備する画像通信装置において、上記ダイヤル送出手段がダイヤル信号を送出しているときには、上記呼出信号検出手段が上記呼出信号を検出する動作を中断し、上記ダイヤル送出手段がダイヤル信号を送出する動作が正常に終了した後に、上記呼出信号の検出結果を無効とし、初期化し、これによって、ダイヤル発呼時の誤動作を防ぐ。
【０００８】
【発明の実施の形態および実施例】
［第１の実施例］
図１は、本発明の第１の実施例であるファクシミリ装置ＦＳ１の全体構成を示すブロック図である。
【０００９】
ファクシミリ装置ＦＳ１は、本体装置１００と、ハンドセット１０９と、操作／表示部１１０とを有する。
【００１０】
本体装置１００は、ＣＰＵ１０１と、ＲＡＭ１０２と、ＲＯＭ１０３と、ファクシミリの記録部１０４と、原稿を読み取り、送信し、受信した原稿をプリントアウトする読取部１０５と、回線制御部１０６と、ＭＯＤＥＭ１０７と、スピーカ１０８とを有する。
【００１１】
ＣＰＵ１０１は、ＲＯＭ１０３に格納されたプログラムを解読し、ＲＡＭ１０２をワークスペースとして使用し、ファクシミリ装置ＦＳ１の全体を制御する。
【００１２】
操作／表示部１１０は、表示部１１１と、オンフックキー１１２と、ストップキー１１３と、スタートキー１１４と、テンキー１１５とを有する。
【００１３】
次に、第１の実施例の動作について説明する。
【００１４】
まず、原稿を読取部１０５にセットし、所望の送信先番号をテンキー１１５で入力し、スタートキー１１４を押下する。これによって、セットされた原稿を読み取り、この後に、本体装置１００は、自動送信動作に入り、回線に接続し、入力された番号をダイヤル開始する。また、ハンドセット１０９をオフフックするか、またはオンフックキー１１２を押下した場合も、本体装置１００は、直接ダイヤル動作に入り、回線に接続し、テンキーからの入力を待ち、ダイヤルを行う。それぞれの場合において、ダイヤルが終了すると、ファクシミリ装置ＦＳ１は、送信手順に向かう。
【００１５】
図２は、ファクシミリ装置ＦＳ１における回線制御部１０６の一例を示す図である。
【００１６】
回線制御部１０６は、回線接続部２０１と、ハンドセット接続部２０２と、ＣＭＬリレー２０３と、Ｈリレー２０４と、ＨＤリレー２０５と、Ｐリレー２０６と、ダイオードブリッジ２０７と、第１のフック検出部２０８と、第２のフック検出部２０９と、ＣＩ検出部２１０とを有する。
【００１７】
図３は、上記実施例において、回線制御部１０６がパルスダイヤルを行う場合における各リレー制御例を示すタイムチャートである。
【００１８】
初めにＣＭＬリレー２０３をオンにし、回線を捕捉した後、ＣＭＬリレー２０３をオフし、Ｐリレー２０６のオン・オフを連続することによって、パルス波形を生成し、桁間では、ＣＭＬリレー２０３を再びオンし、Ｐリレー２０６を再びオフにする。このように短い周期でオンオフを繰り返すので、ＣＭＬリレー２０３をオフしたときに接続されるＣＩ検出部２１０にも、ノイズパルスが入力されやすい。
【００１９】
一方、回線からＣＩ信号を検出すると、本体装置１００は、受信動作に入り、送られてくる信号を受信した後に、記録部１０４から受信した画像を出力する。ＣＭＬリレー２０３がオフ状態であるときに、すなわち本体装置１００自身が回線を捕捉していない場合に、ＣＩ検出部２１０へのＣＩ信号入力によって、ＣＩの検出が行われる。
【００２０】
図４は、ＣＩ検出動作の概要を示すタイムチャートである。
【００２１】
着信すると、交換機から回線に、１６ＨｚのＣＩ信号Ｓ０が入力される。ＣＩ検出部２１０は、これを積分し、ソフトウェアで監視可能なＣＩ検出信号Ｓ１を生成する。本体装置１００が自動受信モードに設定されていると、ＣＩ検出信号Ｓ１を一定周期（例：５ｍｓｅｃ）で監視し、予め設定されている自動受信用のケーデンスに沿ったＣＩ検出信号Ｓ１が入力されると、ＣＩ受信信号Ｓ２をオンにする。図４では、３周期のオン、３周期のオフが連続したら、ＣＩ信号の１周期を検出したものとし、これを２周期検出したら、「ＣＩを受信した」ものとして、ＣＩ受信信号Ｓ２をオンにする。本体装置では、このＣＩ受信信号Ｓ２を見て、オンであれば着呼があったものとみなし、受信動作に入る。
【００２２】
図５は、本実施例におけるダイヤル送出動作とＣＩ検出動作とを示すフローチャートである。
【００２３】
ＣＩ検出ルーチンは、電源投入時に初期化が行われた後に、一定周期（この例では５ｍｓｅｃ）で、ＣＩ信号を監視し、検出する。
【００２４】
上位タスクよりダイヤル発呼要求があった場合、初めに現在ＣＩ着信中か否かを確認する（Ｓ２０１）。ＣＩ着信中、または着信後の一定時間（例：１０ｓｅｃ）以内であれば、衝突回避のために、ダイヤル発呼ルーチンを一旦エラー終了し、再度上位タスクからダイヤル要求制御を行う。ＣＩ着信がなかったら、ダイヤル発呼ルーチンに入り、ＣＩ検出イネーブル信号をオフに制御する（Ｓ２０２）。
【００２５】
一方、ＣＩ検出ルーチンは、電源投入時に初期化が行われた後に（Ｓ２０７）、一定周期（この例では５ｍｓｅｃ）で、ＣＩ信号を監視し、検出する。この周期の先頭で、毎回ＣＩ検出イネーブル信号を確認し（Ｓ２０８）、イネーブルであった場合にのみ、ＣＩ検出ルーチンを実行する（Ｓ２０９）。上記Ｓ２０２によってＣＩ検出イネーブル信号がＯＦＦに設定されると、ＣＩ検出ルーチンは、実行されずに抜ける。これによって、続くダイヤル動作中（Ｓ２０３）に、新たにＣＩ受信信号Ｓ２がオンになり、受信動作に入ることがない。
【００２６】
ダイヤル送出動作が正常終了すると（Ｓ２０４）、本体装置１００は、キー入力やフック状態によって、自動送信または手動送信、通話等の送信動作に入る。このときに、ダイヤル発呼前に検出されたＣＩ検出信号Ｓ１のケーデンス検出は、不要になるので、送信動作開始時にケーデンス検出を初期化する（Ｓ２０５）。一方、ストップキー等によって途中で、ダイヤル動作が中止された場合は、ダイヤルによるノイズがなくなるまでの一定時間経過後に、それまでに検出したＣＩ検出状態を継続し、検出を再開する（Ｓ２０６）。
【００２７】
なお、ＣＩの各ケーデンスを検出するルーチンは、公知であるので、その詳細説明を省略する。
【００２８】
［第２の実施例］
たとえばリモート受信機能のように、ＣＩを検出した後に、子電話からダイヤルし、本体装置自身がこれを検出し、その結果によって、次の動作に入るといった機能を実施することを考える。
【００２９】
この際、ＣＩ検出の結果を初期化すると、たとえばＣＩの鳴り分けといった応用動作に制限が生じることが考えられる。
【００３０】
ここで、上記実施例において、ＭＯＤＥＭ１０７からのＤＴＭＦ信号送出による発呼時は、上記パルスダイヤル発呼とは異なり、回線のオンオフを行わないので、ＣＩ検出部２１０に不要なパルスのノイズが入る可能性は少ないと考えられる。そこで、ＤＴＭＦによる発呼が設定された場合には、第１の実施例のＣＩ初期化制御を行わず、ＣＩ検出結果を保持し、利用することも可能である。
【００３１】
なお、上記各実施例を、ファクシミリ装置以外の画像通信装置に適用するようにしてもよい。
【００３２】
【発明の効果】
本発明によれば、ダイヤル送出手段がダイヤル信号を送出しているときには、呼出信号検出手段が呼出信号を検出する動作を中断し、ダイヤル送出手段がダイヤル信号を送出する動作が正常に終了した後に、呼出信号の検出結果を無効とし、初期化するので、パルスダイヤル時のノイズによるＣＩ誤検出を防ぐことができ、ファクシミリの自動送受信の信頼性を高めることができるという効果を奏する。
【図面の簡単な説明】
【図１】本発明の第１の実施例であるファクシミリ装置ＦＳ１の全体構成を示すブロック図である。
【図２】ファクシミリ装置ＦＳ１における回線制御部１０６の一例を示す図である。
【図３】上記実施例において、回線制御部１０６がパルスダイヤルを行う場合における各リレー制御例を示すタイムチャートである。
【図４】ＣＩ検出動作の概要を示すタイムチャートである。
【図５】本実施例におけるダイヤル送出動作とＣＩ検出動作とを示すフローチャートである。
【符号の説明】
ＦＳ１…ファクシミリ装置、
１００…本体装置、
１０１…ＣＰＵ，
１０２…ＲＡＭ、
１０３…ＲＯＭ、
１０４…ファクシミリの記録部、
１０５…読取部、
１０６…回線制御部、
１０７…ＭＯＤＥＭ、
１０８…スピーカ、
１０９…ハンドセット、
１１０…操作／表示部。
【図１】
2004235938.tif 000003
【図２】
2004235938.tif 000004
【図３】
2004235938.tif 000005
【図４】
2004235938.tif 000006
【図５】
2004235938.tif 000007